【手続補正書】
【提出日】平成18年8月30日(2006.8.30)
【手続補正１】
【補正対象書類名】明細書
【補正対象項目名】特許請求の範囲
【補正方法】変更
【補正の内容】
【特許請求の範囲】
【請求項１】
「ユーザーがショップ側に注文可能な、食品もしくは飲料、又は料理サービス」の味に関するデータを記録しておくための食品・料理等味データ記録手段と、
ユーザーの「食品もしくは飲料又は料理サービス」に関する味の好みに関するデータを記録しておくためのユーザー味嗜好データ記録手段と、
ユーザーが、前記の注文可能な複数の「食品もしくは飲料又は料理サービス」の中から、或る「食品もしくは飲料又は料理サービス」を選択したとき、前記食品・料理等味データ記録手段から得られる前記選択された「食品もしくは飲料又は料理サービス」に関する味データと前記ユーザー味嗜好データ記録手段から得られる前記ユーザーの味嗜好データとに基づいて、前記選択された「食品もしくは飲料又は料理サービス」の味が前記ユーザーの好み又は好みの傾向と合うかどうかを判定するための判定手段と、
前記判定手段による判定結果をユーザー側に出力するための判定結果出力手段と、
を備えたことを特徴とする、仮想試食・試飲システム。
【請求項２】
「ユーザーがショップ側に注文可能な、食品もしくは飲料、又は料理サービス」に関する画像データをユーザー側に送信するための食品・料理等画像送信手段と、
前記食品・料理等画像送信手段からの「食品もしくは飲料又は料理サービス」に関する画像をユーザー側に表示するための食品・料理等画像表示手段と、
前記の「ユーザーがショップ側に注文可能な、食品もしくは飲料、又は料理サービス」の味に関するデータを記録しておくための食品・料理等味データ記録手段と、
ユーザーの「食品もしくは飲料又は料理サービス」に関する味の好みに関するデータを記録しておくためのユーザー味嗜好データ記録手段と、
ユーザーが、前記食品・料理等画像表示手段により画像が表示される注文可能な複数の「食品もしくは飲料又は料理サービス」の中から、或る「食品もしくは飲料又は料理サービス」を選択したとき、前記食品・料理等味データ記録手段から得られる前記選択された「食品もしくは飲料又は料理サービス」に関する味データと前記ユーザー味嗜好データ記録手段から得られる前記ユーザーの味嗜好データとに基づいて、前記選択された「食品もしくは飲料又は料理サービス」の味が前記ユーザーの好み又は好みの傾向と合うかどうかを判定するための判定手段と、
前記判定手段による判定結果をユーザー側に出力するための判定結果出力手段と、
を備えたことを特徴とする仮想試食・試飲システム。
【請求項３】
ショップ側のコンピュータに管理される記録装置により構成され、ユーザーがショップ側に注文が可能な「食品もしくは飲料又は料理サービス」の味に関するデータを記録しておくための食品・料理等味データ記録手段と、
ショップ側のコンピュータもしくはセンター側のコンピュータにより管理される記録装置又はユーザー端末に内蔵もしくは接続された記録装置により構成され、ユーザーの「食品もしくは飲料又は料理サービス」の味の好みに関するデータを記録しておくためのユーザー味嗜好データ記録手段と、
ショップ側のコンピュータもしくはセンター側のコンピュータ又はユーザー端末により構成され、ユーザーが選択した「食品もしくは飲料又は料理サービス」について、前記食品・料理等味データ記録手段からの味データと前記ユーザー味嗜好データ記録手段からのユーザー味嗜好データとに基づいて、前記選択された「食品もしくは飲料又は料理サービス」の味がユーザーの好み又は好みの傾向と合うかどうかを判定するための判定手段と、
シッョプ側の装置又はユーザー端末により構成され、前記判定手段による判定結果をユーザー側に出力するための判定結果出力手段と、
を備えたことを特徴とする仮想試食・試飲システム。
【請求項４】
ショップ側のコンピュータにより構成され、ユーザーがショップ側に注文が可能な「食品もしくは飲料又は料理サービス」の画像データをユーザー側に提供するための食品・料理等画像提供手段と、
シッョプ側の装置又はユーザー端末により構成され、前記食品・料理等画像提供手段からの「食品もしくは飲料又は料理サービス」の画像をユーザー側で表示するための食品・料理等画像表示手段と、
ショップ側のコンピュータもしくはセンター側のコンピュータにより管理される記録装置又はユーザー端末に内蔵もしくは接続された記録装置により構成され、前記食品・料理等画像提供手段により画像が提供される「食品もしくは飲料又は料理サービス」の味に関するデータを記録しておくための食品・料理等味データ記録手段と、
ショップ側のコンピュータもしくはセンター側のコンピュータにより管理される記録装置又はユーザー端末に内蔵もしくは接続された記録装置により構成され、ユーザーの「食品もしくは飲料又は料理サービス」の味の好みに関するデータを記録しておくためのユーザー味嗜好データ記録手段と、
ショップ側のコンピュータもしくはセンター側のコンピュータ又はユーザー端末により構成され、前記食品・料理等画像表示手段により画面に表示される前記「食品もしくは飲料又は料理サービス」の中の或る「食品もしくは飲料又は料理サービス」をユーザーが選択したとき、前記選択された「食品もしくは飲料又は料理サービス」について、前記食品・料理等味データ記録手段からの味データと前記ユーザー味嗜好データ記録手段からのユーザー味嗜好データとに基づいて、前記選択された「食品もしくは飲料又は料理サービス」の味がユーザーの好み又は好みの傾向と合うかどうかを判定するための判定手段と、
ショップ側の装置又はユーザー端末により構成され、前記判定手段による判定結果をユーザー側に出力するための判定結果出力手段と、
を備えたことを特徴とする仮想試食・試飲システム。
【請求項５】
ユーザーがショップ側に注文が可能な「食品もしくは飲料又は料理サービス」の味に関するデータを記録しておくための食品・料理等味データ記録手段と、
ユーザーの「食品もしくは飲料又は料理サービス」の味の好みに関するデータを記録しておくためのユーザー味嗜好データ記録手段と、
ユーザーが選択した「食品もしくは飲料又は料理サービス」について、前記食品・料理等味データ記録手段からの味データと前記ユーザー味嗜好データ記録手段からのユーザー味嗜好データとに基づいて、前記選択された「食品もしくは飲料又は料理サービス」の味がユーザーの好み又は好みの傾向と合うかどうかを判定するための判定手段と、
前記判定手段による判定結果を通信手段を介してユーザー側に送信するための判定結果送信手段と、
を備えたことを特徴とする仮想試食・試飲システム。
【請求項６】
ユーザーがショップ側に注文が可能な「食品もしくは飲料又は料理サービス」の画像データを、ユーザー側で表示できるように、ユーザー側に提供するための食品・料理等画像提供手段と、
前記食品・料理等画像提供手段により画像が提供される「食品もしくは飲料又は料理サービス」の味に関するデータを記録しておくための食品・料理等味データ記録手段と、
ユーザーの「食品もしくは飲料又は料理サービス」の味の好みに関するデータを記録しておくためのユーザー味嗜好データ記録手段と、
前記食品・料理等画像提供手段によりユーザー側に画像が提供された一つ又は複数の「食品もしくは飲料又は料理サービス」の中の前記ユーザーが選択した「食品もしくは飲料又は料理サービス」について、前記食品・料理等味データ記録手段からの味データと前記ユーザー味嗜好データ記録手段からのユーザー味嗜好データとに基づいて、前記選択された「食品もしくは飲料又は料理サービス」の味がユーザーの好み又は好みの傾向と合うかどうかを判定するための判定手段と、
前記判定手段による判定結果を通信手段を介してユーザー側に送信するための判定結果送信手段と、
を備えたことを特徴とする仮想試食・試飲システム。
【請求項７】
ショップ側のコンピュータにより管理される記録装置により構成され、ユーザーがショップ側に注文が可能な「食品もしくは飲料又は料理サービス」の味に関するデータを記録しておくための食品・料理等味データ記録手段と、
ショップ側のコンピュータもしくはセンター側のコンピュータにより管理される記録装置により構成され又はユーザー端末に内蔵もしくは接続された記録装置により構成され、ユーザーの「食品もしくは飲料又は料理サービス」の味の好みに関するデータを記録しておくためのユーザー味嗜好データ記録手段と、
ユーザーがショップ側に注文が可能な複数の「食品もしくは飲料又は料理サービス」の中から、特定の「食品もしくは飲料又は料理サービス」を選択するための選択手段と、
前記選択手段によりユーザーが選択した「食品もしくは飲料又は料理サービス」についての、前記食品・料理等味データ記録手段からの味データと前記ユーザー味嗜好データ記録手段からのユーザー味嗜好データとに基づく、前記選択された「食品もしくは飲料又は料理サービス」の味がユーザーの好み又は好みの傾向と合うかどうかの判定結果を、通信手段を介して受信するための判定結果受信手段と、
前記判定結果受信手段により受信された判定結果を出力するための判定結果出力手段と、
を備えたことを特徴とする仮想試食・試飲システム。
【請求項８】
ショップ側のコンピュータに管理される記録装置により構成され、ユーザーがショップ側に注文が可能な「食品もしくは飲料又は料理サービス」の味に関するデータを記録しておくための食品・料理等味データ記録手段と、
ショップ側のコンピュータもしくはセンター側のコンピュータにより管理される記録装置により構成され又はユーザー端末に内蔵もしくは接続された記録装置により構成され、ユーザーの「食品もしくは飲料又は料理サービス」の味の好みに関するデータを記録しておくためのユーザー味嗜好データ記録手段と、
ユーザーがショップ側に注文が可能な「食品もしくは飲料又は料理サービス」の画像データを、ショップ側のコンピュータから、通信手段を介して受信するための食品・料理画像受信手段と、
前記食品・料理等画像受信手段により受信した「食品もしくは飲料又は料理サービス」画像をユーザー側で表示するための食品・料理等画像表示手段と、
前記食品・料理等画像表示手段により画面に表示される一つ又は複数の「食品もしくは飲料又は料理サービス」の中の或る「食品もしくは飲料又は料理サービス」をユーザーが選択したとき、前記選択された「食品もしくは飲料又は料理サービス」についての、前記食品・料理等味データ記録手段からの味データと前記ユーザー味嗜好データ記録手段からのユーザー味嗜好データとに基づく、前記選択された「食品もしくは飲料又は料理サービス」の味がユーザーの好み又は好みの傾向と合うかどうかの判定結果を、通信手段を介して受信するための判定結果受信手段と、
前記判定結果受信手段により受信された判定結果を出力するための判定結果出力手段と、
を備えたことを特徴とする仮想試食・試飲システとム。